【手続補正書】
【提出日】平成16年8月18日(2004.8.18)
【手続補正１】
【補正対象書類名】特許請求の範囲
【補正対象項目名】全文
【補正方法】変更
【補正の内容】
【特許請求の範囲】
【請求項１】
送信コードマトリクスを使用して複素数記号を送信する方法において、
前記送信コードマトリクスを構成し、前記複素数記号の各々は、前記送信コードマトリクスの少なくとも２つの素子の一部分を形成し、そして前記マトリクス素子の少なくとも幾つかは、前記複素数記号の少なくとも２つを直線的に混合することにより形成され、そして
実質的に直交するシグナリングリソース及び少なくとも３つの異なる送信アンテナ経路を使用して少なくとも部分的に並列に前記送信コードマトリクスを送信する、
という段階を備えた方法。
【請求項２】
前記送信コードマトリクスを構成する前記段階は、
複素数記号のストリームを、複素数記号の少なくとも２つの少なくとも部分的に異なるストリームに変換し、
複素数記号の前記少なくとも２つのストリームを変調して少なくとも２つのコードマトリクスを形成し、その少なくとも１つは他より次元の大きいものとし、
直線変換を使用して前記コードマトリクスを変換して、少なくとも２つの変換された送信ダイバーシティコードマトリクスを構成し、そして
少なくとも２つの変換された送信ダイバーシティコードマトリクスを使用して送信コードマトリクスを構成する、
という段階を備えた方法。
【請求項３】
前記直線変換の少なくとも１つは、恒等変換とは異なる請求項２に記載の方法。
【請求項４】
前記少なくとも２つのコードマトリクスは、直交するコードマトリクスである請求項２に記載の方法。
【請求項５】
前記送信コードマトリクスの両マトリクス次元は、変換された送信ダイバーシティコードマトリクスの対応するマトリクス次元より大きい請求項２に記載の方法。
【請求項６】
前記送信コードマトリクスは、低次元マトリクスを高次元マトリクスに埋め込む方法を使用して前記変換された送信ダイバーシティコードマトリクスから構成される請求項５に記載の方法。
【請求項７】
前記送信コードマトリクスは、マトリクスの繰返し、否定、共役、置換、乗算の方法の少なくとも１つを使用して、前記変換された送信ダイバーシティコードマトリクスから構成される請求項２に記載の方法。
【請求項８】
第１の変換されたコードマトリクスは、２つのコードマトリクスを加算することにより構成され、そして少なくとも第２の変換されたコードマトリクスは、前記２つのコードマトリクスを減算することにより構成される請求項２に記載の方法。
【請求項９】
前記送信マトリクスの記号レートは、前記直線変換が適用される直交コードマトリクスの平均記号レートと同じである請求項４に記載の方法。
【請求項１０】
前記送信コードマトリクスは、Ｔ個の実質的に直交するシグナリングリソースにわたって延び、そしてＴ個より多数の複素数記号を使用して、送信コードマトリクスを構成する請求項１に記載の方法。
【請求項１１】
複素数記号の少なくとも２つのストリームを構成する前記段階は、直列／並列変換を含む請求項２に記載の方法。
【請求項１２】
複素数記号の少なくとも２つのストリームを構成する前記段階は、回転ユニットを含む請求項２に記載の方法。
【請求項１３】
前記回転ユニットは、恒等マトリクスとは異なる記号回転マトリクスであり、少なくとも２つのゼロ素子を含む請求項１２に記載の方法。
【請求項１４】
前記回転ユニットは、２つの単位マトリクスのクロネッカー積として形成された記号回転マトリクスであり、その少なくとも１つは恒等マトリクスとは異なる請求項１２に記載の方法。
【請求項１５】
前記記号回転マトリクスは対角マトリクスであり、少なくとも１つの対角素子は複素数である請求項１３に記載の方法。
【請求項１６】
少なくとも２つの変換された送信ダイバーシティコードマトリクスは、並列に送信され、そして２つの変換された送信ダイバーシティコードマトリクスは、少なくとも部分的に異なる記号を含む請求項１０に記載の方法。
【請求項１７】
前記記号の一部分は、前記送信コードマトリクス内のブロック対角サブマトリクスで送信され、そして少なくとも部分的に異なる記号は、前記送信コードマトリクス内の反ブロック対角サブマトリクスで送信される請求項１０に記載の方法。
【請求項１８】
４つのサブストリームがあり、各サブストリームは、２つの複素数記号を組み込んだ直交する２ｘ２コードマトリクスを形成するように変調され、そして前記送信コードマトリクスは、少なくとも４つの実質的に直交するシグナリングリソースにわたって延びる請求項１０に記載の方法。
【請求項１９】
少なくとも１つのコードマトリクスは、別のコードマトリクスとは異なる記号レートを有する請求項２に記載の方法。
【請求項２０】
少なくとも１つのコードマトリクスは、別のコードマトリクスとは異なる次元を有する請求項２に記載の方法。
【請求項２１】
少なくとも１つのコードマトリクスは、別のコードマトリクスとは異なる電力で送信される請求項２に記載の方法。
【請求項２２】
前記実質的に直交するシグナリングリソースは、非重畳タイムスロット、異なる拡散コード、異なるＯＦＤＭサブキャリア、異なるウェーブレット波形及び異なるＦＤＭＡチャンネルのうちの少なくとも１つを含む請求項２に記載の方法。
【請求項２３】
送信コードマトリクスを使用して複素数記号を送信する装置において、
複素数記号から送信コードマトリクスを構成するための要素を備え、前記複素数記号の各々は、前記送信コードマトリクスの少なくとも２つの素子の一部分を形成し、そして前記マトリクス素子の少なくとも幾つかは、前記複素数記号の少なくとも２つを直線的に混合することにより形成され、更に、
実質的に直交するシグナリングリソース及び少なくとも３つの異なる送信アンテナ経路を使用して少なくとも部分的に並列に前記送信コードマトリクスを送信するための送信手段と、
を備えた装置。
【請求項２４】
送信コードマトリクスを構成するための前記要素は、
複素数記号のストリームを、複素数記号の少なくとも２つの少なくとも部分的に異なるストリームに変換するためのコンバータ手段と、
複素数記号の前記少なくとも２つのストリームを変調して少なくとも２つのコードマトリクスを形成する変調手段であって、その少なくとも１つは他より次元の大きいものとする変調手段と、
直線的換を使用して前記コードマトリクスを変換して、少なくとも２つの変換された送信ダイバーシティコードマトリクスを構成するトランスフォーム手段と、
少なくとも２つの変換された送信ダイバーシティコードマトリクスを使用して送信コードマトリクスを構成するコード構成手段と、
を備えた請求項２３に記載の装置。
【請求項２５】
前記トランスフォーム手段は、恒等変換とは異なる少なくとも１つの直線変換を適用する請求項２４に記載の装置。
【請求項２６】
前記変調手段は、直交するコードマトリクスを形成する請求項２４に記載の装置。
【請求項２７】
送信コードマトリクスを使用して複素数記号を送信するための送信器と、送信された複素数記号を受信するための受信器とを備えたシステムにおいて、前記送信器は、
複素数記号から送信コードマトリクスを構成するための要素を備え、前記複素数記号の各々は、前記送信コードマトリクスの少なくとも２つの素子の一部分を形成し、そして前記マトリクス素子の少なくとも幾つかは、前記複素数記号の少なくとも２つを直線的に混合することにより形成され、更に、
実質的に直交するシグナリングリソース及び少なくとも３つの異なる送信アンテナ経路を使用して少なくとも部分的に並列に前記送信コードマトリクスを送信するための送信手段と、
を備えたシステム。
【請求項２８】
実質的に直交するシグナリングリソースを使用して少なくとも３つの異なる送信アンテナ経路を経て少なくとも部分的に並列に送信されるべき送信コードマトリクスであって、この送信コードマトリクスは、送信されるべき複素数記号に基づいて構成され、これら複素数記号の各々は、前記送信コードマトリクスの少なくとも２つの素子の一部分を形成し、そして前記送信コードマトリクスの少なくとも幾つかの素子は、前記複素数記号の少なくとも２つの直線混合で構成される送信コードマトリクス。
【請求項２９】
前記複素数記号は、４つの複素数記号であり、そして前記送信コードマトリクスは、４ｘ４個の素子を含む請求項２８に記載の送信コードマトリクス。
【請求項３０】
前記複素数記号は、４つの複素数記号の第１グループと、４つの複素数記号の第２グループとを含み、前記送信コードマトリクスは４ｘ４個の素子を含み、そして前記複素数記号は、前記送信コードマトリクスの各グループ内で直線的に混合される請求項２８に記載の送信コードマトリクス。
【請求項３１】
信号を受信する方法において、
各送信アンテナ経路から各受信アンテナへのインパルス応答推定を推定し、
送信マトリクスの構造を使用して、１つ又は複数の送信された信号ストリームに対してビット又は記号推定を計算し、前記マトリクスは、２つの直交する空間−時間コードマトリクス又はチャンネル記号の少なくとも１つの直線的合成と、前記チャンネルインパルス応答推定とで構成される方法。
【請求項３２】
前記ビット又は記号推定は、変調器に使用される記号アルファベットに対応するハード判断である請求項３１に記載の方法。
【請求項３３】
前記ビット又は記号判断は、判断の信頼性を反映するソフト判断である請求項３１に記載の方法。
【請求項３４】
前記信頼性は、ビット又は記号の帰納的確率から導出される請求項３３に記載の方法。
【請求項３５】
前記送信されるビット又は記号ストリームはチャンネルコード化され、そして前記検出器は、送信コードマトリクス及びチャンネルコードデコーダにわたって共同検出及びデコードを実行する請求項３１に記載の方法。
【請求項３６】
前記共同検出及びデコード方法は、送信される記号又はビットに対して計算された信頼性推定を使用する請求項３５に記載の方法。
【請求項３７】
信号を受信する装置において、
各送信アンテナ経路から各受信アンテナへインパルス応答推定を出力するチャンネル推定モジュールと、
送信マトリクスの構造を使用する検出モジュールと、
を備え、前記マトリクスは、２つの直交する空間−時間コードマトリクス又はチャンネル記号の少なくとも１つの直線的合成と、１つ又は複数の送信信号ストリームに対するビット又は記号推定を計算するためのチャンネルインパルス応答推定とを備えたものである装置。
【請求項３８】
前記ビット又は記号推定は、変調器に使用される記号アルファベットに対応するハード判断である請求項３７に記載の装置。
【請求項３９】
前記ビット又は記号判断は、判断の信頼性を反映するソフト判断である請求項３７に記載の装置。
【請求項４０】
前記信頼性は、ビット又は記号の帰納的確率から導出される請求項３９に記載の装置。
【請求項４１】
前記送信されるビット又は記号ストリームはチャンネルコード化され、そして前記検出器は、送信コードマトリクス及びチャンネルコードデコーダにわたって共同検出及びデコードを実行する請求項３７に記載の装置。
【請求項４２】
前記共同検出及びデコード方法は、送信される記号又はビットに対して計算された信頼性推定を使用する請求項４１に記載の装置。